(57)【要約】【課題】ケーブル内部に収納してある複数の光ファイバ通信線の中から特定の光ファイバ通信線を取り出す際の識別性の向上を図る。【解決手段】光ファイバ心線（光ファイバ通信線）１３ａ、１３ｂを内部に収納する２つのスロット溝１２ａ、１２ｂを備えたスロットコア１１と、スロットコアの周囲を被覆するシース１４と、スロットコアの内部に埋設された２本の抗張力体１５とを備える。ケーブル中心Ｏを通るＹ軸上に２本の抗張力体１５が配置され、その外側のＹ軸上にスロット溝１２ａ、１２ｂが配置されている。２つのスロット溝は、ケーブル長手方向に沿って直線状に延びるストレート溝として形成され、一方のスロット溝１２ａと他方のスロット溝１２ｂに、例えば色違いの光ファイバ心線１３ａ、１３ｂが収納されている。【選択図】図１
2011248349.tif 000002
【特許請求の範囲】
【請求項１】
光ファイバ通信線を内部に収納するスロット溝を備えたスロットコアと、このスロットコアの周囲を被覆するシースと、前記スロットコアの内部にケーブル長手方向に沿って埋設された抗張力体と、を備えた光ファイバケーブルにおいて、
ケーブル長手方向に垂直な断面においてケーブル中心を通り互いに直交する方向をＸ軸とＹ軸としたとき、
一方の前記Ｙ軸がケーブル曲げ中立線となるように、前記スロットコアの内部の前記Ｙ軸上の位置で且つケーブル中心に近い位置に２本の前記抗張力体が互いに平行に並べて配設され、
前記スロット溝が、共に前記Ｙ軸上の位置で且つ前記ケーブル中心を挟んで１８０度対向する位置に２つ配設され、
これら２つのスロット溝は、前記抗張力体よりもケーブル中心から遠い位置に配設され、しかも、ケーブル長手方向に沿って直線状に延びるストレート溝として形成され、
これら２つのスロット溝のうちの一方のスロット溝と他方のスロット溝に、光ファイバ通信線がそれぞれ収納されていることを特徴とする光ファイバケーブル。
【請求項２】
光ファイバ通信線を内部に収納するスロット溝を備えたスロットコアと、このスロットコアの周囲を被覆するシースと、前記スロットコアの内部にケーブル長手方向に沿って埋設された抗張力体と、を備えた光ファイバケーブルにおいて、
ケーブル長手方向に垂直な断面においてケーブル中心を通り互いに直交する方向をＸ軸とＹ軸としたとき、
一方の前記Ｙ軸がケーブル曲げ中立線となるように、前記スロットコアの内部の前記Ｙ軸上の位置で且つケーブル中心に近い位置に、断面の長手方向を前記Ｙ軸上に一致させた姿勢で帯板状の前記抗張力体が１本配設され、
前記スロット溝が、共に前記Ｙ軸上の位置で且つ前記ケーブル中心を挟んで１８０度対向する位置に２つ配設され、
これら２つのスロット溝は、前記抗張力体よりもケーブル中心から遠い位置に配設され、しかも、ケーブル長手方向に沿って直線状に延びるストレート溝として形成され、
これら２つのスロット溝のうちの一方のスロット溝と他方のスロット溝に、光ファイバ通信線がそれぞれ収納されていることを特徴とする光ファイバケーブル。
【発明の詳細な説明】
【技術分野】
【０００１】
本発明は、光ファイバ通信線（光ファイバ通信線は、光ファイバ心線、ドロップ型の光ファイバケーブル、インドア型の光ファイバケーブル等を含む概念である）を内部に収納するスロット溝を備えたスロットコアと、このスロットコアの周囲を被覆するシースと、を備えた光ファイバケーブルに関するものである。
【背景技術】
【０００２】
特許文献１に、光ファイバを内部に収納するスロット溝を備えたスロットコアと、このスロットコアの周囲を被覆するシースと、前記スロットコアの内部にケーブル長手方向に沿って埋設された抗張力体と、を備えた光ファイバケーブルが記載されている。この光ファイバケーブルでは、スロットコアが、１つのスロット溝を備えた断面Ｃ字状に形成され、スロットコアの肉厚部の内部に抗張力体が配設されている。また、シースの肉厚がスロット溝の開口部側で厚くなるように設定されると共に、開口部と反対側で薄くなるように設定されている。
【０００３】
図１０は、特許文献１に記載のものと類似の従来の光ファイバケーブルの構造を示している。
【０００４】
この光ファイバケーブル１１０は、複数の光ファイバ１１３を内部に収納する１つのスロット溝１１２を備えたスロットコア１１１と、このスロットコア１１１の周囲を被覆するように後から押し出し成形により設けられたシース１１４と、スロットコア１１１の内部にケーブル長手方向に沿って埋設された２本の抗張力体１１５と、を備えている。２本の抗張力体１１５は、ケーブル中心（ケーブルの長手方向と垂直な断面上の中心）とスロット溝１１２の開口部１１６の幅方向中央を通る軸上に並べて配置されている。
【０００５】
シース１１４の肉厚は、スロット溝１１２の開口部１１６側で厚くなるように設定されると共に、開口部１１６と反対側で薄くなるように設定されている。つまり、シース１１４の厚肉部１１４ａがスロット溝１１２の開口部１１６側に配置され、薄肉部１１４ｂがスロット溝１１２の開口部１１６と反対側に配置されている。
【０００６】
また、スロットコア１１１のスロット溝１１２の開口部１１６は、シース１１４の押し出し成形時に、シース１１４を構成する溶融樹脂がスロット溝１１２内に入らないようにするためのＰＥＴテープ等の押さえテープ１１７で覆われている。
【先行技術文献】
【特許文献】
【０００７】
【特許文献１】特開２００８−７６８９７号公報（図７）
【発明の概要】
【発明が解決しようとする課題】
【０００８】
ところで、上述した従来の光ファイバケーブル１１０は、スロット溝１１２を１つしか有していないので、中間後分岐のために、同一スロット溝１１２内に収納された複数本の光ファイバ１１３の中から特定の光ファイバ１１３を外に取り出すような場合に、取り出す必要のない他の光ファイバ１１３を一緒に外に取り出したり、間違って外に取り出してしまったりするおそれが高く、その結果、他の光ファイバ１１３に過張力等の余計な影響を与えるおそれがあった。
【０００９】
例えば、光ファイバ１１３として複数の光ファイバ心線をスロット溝１１２の内部に収納している場合、光ファイバ心線は青、黄、緑、赤、紫、白等の色分けにより互いに識別できるようにされているが、暗いところで作業した場合は、色を区別しにくいために、関係のない光ファイバ心線を外に取り出してしまうことがある。
【００１０】
そこで、本発明は、ケーブル内部に収納してある複数の光ファイバ（光ファイバ通信線）の中から特定の光ファイバ（光ファイバ通信線）を取り出す際の識別性の向上を図ることのできる光ファイバケーブルを提供することを目的とする。
【課題を解決するための手段】
【００１１】
請求項１に記載の発明は、光ファイバ通信線を内部に収納するスロット溝を備えたスロットコアと、このスロットコアの周囲を被覆するシースと、前記スロットコアの内部にケーブル長手方向に沿って埋設された抗張力体と、を備えた光ファイバケーブルにおいて、ケーブル長手方向に垂直な断面においてケーブル中心を通り互いに直交する方向をＸ軸とＹ軸としたとき、一方の前記Ｙ軸がケーブル曲げ中立線となるように、前記スロットコアの内部の前記Ｙ軸上の位置で且つケーブル中心に近い位置に２本の前記抗張力体が互いに平行に並べて配設され、前記スロット溝が、共に前記Ｙ軸上の位置で且つ前記ケーブル中心を挟んで１８０度対向する位置に２つ配設され、これら２つのスロット溝は、前記抗張力体よりもケーブル中心から遠い位置に配設され、しかも、ケーブル長手方向に沿って直線状に延びるストレート溝として形成され、これら２つのスロット溝のうちの一方のスロット溝と他方のスロット溝に、光ファイバ通信線がそれぞれ収納されていることを特徴としている。
【００１２】
請求項２に記載の発明は、光ファイバ通信線を内部に収納するスロット溝を備えたスロットコアと、このスロットコアの周囲を被覆するシースと、前記スロットコアの内部にケーブル長手方向に沿って埋設された抗張力体と、を備えた光ファイバケーブルにおいて、ケーブル長手方向に垂直な断面においてケーブル中心を通り互いに直交する方向をＸ軸とＹ軸としたとき、一方の前記Ｙ軸がケーブル曲げ中立線となるように、前記スロットコアの内部の前記Ｙ軸上の位置で且つケーブル中心に近い位置に、断面の長手方向を前記Ｙ軸上に一致させた姿勢で帯板状の前記抗張力体が１本配設され、前記スロット溝が、共に前記Ｙ軸上の位置で且つ前記ケーブル中心を挟んで１８０度対向する位置に２つ配設され、これら２つのスロット溝は、前記抗張力体よりもケーブル中心から遠い位置に配設され、しかも、ケーブル長手方向に沿って直線状に延びるストレート溝として形成され、これら２つのスロット溝のうちの一方のスロット溝と他方のスロット溝に、光ファイバ通信線がそれぞれ収納されていることを特徴としている。
【発明の効果】
【００１３】
本発明の光ファイバケーブルによれば、２つのスロット溝を有しているので、例えば各スロット溝に種類の異なる光ファイバ通信線を収納すれば、スロット溝ごとに光ファイバ通信線の種類の識別が可能となり、識別性の向上が図れて、必要な光ファイバ通信線が取り出しやすくなる。
【００１４】
また、例えば、異なる構造の光ファイバ通信線を各スロット溝に分けて収納することで、容易に複合ケーブルを作成することが可能となる。
【００１５】
また、２本の抗張力体をＹ軸上に配置し、あるいは、断面の長手方向をＹ軸に一致させた姿勢で帯板状の抗張力体をＹ軸上に配置し、且つ、２つのスロット溝をもＹ軸上に配置しているので、ケーブル曲げ方向を、Ｙ軸がケーブル曲げ中立線となるように限定制御できるようになる。その結果、ケーブル曲げ時に光ファイバ通信線に、問題となる歪み（圧縮歪み）が加わり難くすることができ、伝送特性の確保が可能となる。また、ケーブル曲げ方向が限定されるので、ドラムにケーブルを巻き取ることも可能になる。
【００１６】
また、抗張力体が、光ファイバ通信線を収納したスロット溝よりもケーブル中心に近い位置に配置されているので、シースの除去時や光ファイバ通信線の取り出し時に、抗張力体が邪魔にならず、従ってシースの除去や光ファイバ通信線の取り出しが容易にできる。
【図面の簡単な説明】
【００１７】
【図１】本発明の第１実施形態の光ファイバケーブルのケーブル長手方向に垂直な横断面図である。
【図２】本発明の第２実施形態の光ファイバケーブルのケーブル長手方向に垂直な横断面図である。
【図３】本発明の第３実施形態の光ファイバケーブルのケーブル長手方向に垂直な横断面図である。
【図４】本発明の第４実施形態の光ファイバケーブルのケーブル長手方向に垂直な横断面図である。
【図５】本発明の第５実施形態の光ファイバケーブルのケーブル長手方向に垂直な横断面図である。
【図６】第１の比較例として示す光ファイバケーブルのケーブル長手方向に垂直な横断面図である。
【図７】第２の比較例として示す光ファイバケーブルのケーブル長手方向に垂直な横断面図である。
【図８】第３の比較例として示す光ファイバケーブルのケーブル長手方向に垂直な横断面図である。
【図９】本発明の第６実施形態の光ファイバケーブルのケーブル長手方向に垂直な横断面図である。
【図１０】従来例の光ファイバケーブルのケーブル長手方向に垂直な横断面図である。
【発明を実施するための形態】
【００１８】
以下、本発明を適用した具体的な実施形態について図面を参照しながら詳細に説明する。
【００１９】
本発明では、２つのスロット溝に収納する光ファイバ通信線は、同一種類のもの或いは異なる種類のものの何れでもよい。本明細書では、光ファイバ通信線の色の違いや構造（タイプ）の違いを、光ファイバ通信線の種類の違いに含む概念と定義する。
【００２０】
「第１実施形態」
図１は本発明の第１実施形態の光ファイバケーブルのケーブル長手方向に垂直な横断面図である。
【００２１】
この光ファイバケーブル１０Ａは、外周面に開口部１６を持つ２つのスロット溝１２ａ、１２ｂを備えたスロットコア１１と、このスロットコア１１の周囲を被覆するシース１４と、スロットコア１１の内部にケーブル長手方向に沿って埋設された２本の断面円形の線条よりなる抗張力体１５と、各スロット溝１２、１２ｂの内部に収納された互いに色の異なる青色と赤色の２本の光ファイバ心線（光ファイバ通信線）とから構成されている。スロットコア１１のスロット溝１２の開口部１６は、シース１４の押し出し成形時に、シース１４を構成する溶融樹脂がスロット溝１２内に入らないようにするためのＰＥＴテープ等の押さえテープ１７で覆われている。
【００２２】
ここで、ケーブル長手方向に垂直な断面において、ケーブル中心Ｏを通る互いに直交する方向をＸ軸（図中横方向）とＹ軸（図中縦方向）とすると、２本の抗張力体１５は、Ｘ軸方向が曲げ方向Ｍとなり、Ｙ軸がケーブル曲げ方向Ｍの中立線となるように、スロットコア１１の内部のＹ軸上の位置で且つケーブル中心Ｏに近い位置に、互いに離間して平行に並べて配設されている。特に、ケーブル中心Ｏに対して対称となる位置に２つの抗張力体１５が配設されている。
【００２３】
また、２つのスロット溝１２ａ、１２ｂは、共にＹ軸上の位置で且つケーブル中心Ｏを挟んで１８０度対向する位置に配設されおり、各スロット溝１２ａ、１２ｂの開口部１６の幅方向の中央がＹ軸上に位置している。これら２つのスロット溝１２ａ、１２ｂは、２本の抗張力体１５よりもケーブル中心Ｏから遠い位置に配設されている。しかも、２つのスロット溝１２ａ、１２ｂは、ケーブル長手方向に沿って直線状に延びるストレート溝として形成されている。各スロット溝１２ａ、１２ｂは、断面略半円形状のもので、スロットコア１１の外周面に、半円の弦に相当する部分が開口部１６として開口している。
【００２４】
そして、これら２つのスロット溝１２ａ、１２ｂのうちの一方のスロット溝１２ａに、例えば、青色の１本の光ファイバ心線１３ａが収納され、他方のスロット溝１２ｂに、例えば、赤色の１本の光ファイバ心線１３ｂが収納されている。なお、各スロット溝１２ａ、１２ｂに収納する光ファイバ心線１３ａ、１３ｂの色の組み合わせは任意であり、両スロット溝１２ａ、１２ｂに収納する光ファイバ心線１３ａ、１３ｂの色が互いに異なっていればよい。
【００２５】
このような構造の光ファイバケーブル１０Ａを使用している状況において、中間後分岐作業のために、２本の光ファイバ心線１３ａ、１３ｂのうちのいずれか一方の光ファイバ心線１３ａ、１３ｂだけの口出しが必要になった場合、まず、シース１４を所定領域だけ引き剥がして、スロット溝１２ａ、１２ｂの開口部１６を開放し、スロット溝１２ａ、１２ｂの中の必要な光ファイバ心線１３ａ、１３ｂだけを取り出す。
【００２６】
その際、２つのスロット溝１２ａ、１２ｂにそれぞれ色の異なる光ファイバ心線１３ａ、１３ｂを収納しているので、スロット溝１２ａ、１２ｂごとに光ファイバ心線１３ａ、１３ｂの種類の識別（色の区別）が可能であり、識別しやすくなり、必要な光ファイバ心線１３ａ、１３ｂだけを無理なく取り出すことができるようになる。従って、取り出す必要のない光ファイバ心線１３ａ、１３ｂに余計な影響を与えずにすむ。
【００２７】
なお、光ファイバケーブル１０Ａの外からどちらのスロット溝１２ａ、１２ｂにどちらの光ファイバ心線１３ａ、１３ｂが収納されているか判るように、スロット溝１２ａ、１２ｂと対向するシース１４の外表面に異なるマーカを設けておく（色違いの線を目印としてケーブル長手方向に設けておく）ことが望ましい。識別用のマーカを設けるのが望ましい点は、以下の各実施形態においても同様である。
【００２８】
また、２本の抗張力体１５をＹ軸上に並べて配置し、且つ、２つのスロット溝１２もＹ軸上に配置しているので、ケーブル曲げ方向を、Ｙ軸がケーブル曲げ中立線となるように限定制御できるようになる。その結果、ケーブル曲げ時に光ファイバ心線１３ａ、１３ｂに、問題となる歪み（圧縮歪みおよび伸び歪み）が加わり難くすることができ、伝送特性の確保が可能となる。また、曲げ方向が限定されるので、光ファイバケーブル１０Ａをドラムに巻き取ることも可能になる。
【００２９】
また、２本の抗張力体１５が、光ファイバ心線１３ａ、１３ｂを収納したスロット溝１２ａ、１２ｂよりもケーブル中心Ｏに近い位置に配置されているので、シース１４の除去時や光ファイバ心線１３ａ、１３ｂの取り出し時に、抗張力体１５が邪魔になることがなく、従ってシース１４の除去や光ファイバ心線１３ａ、１３ｂの取り出しが容易にできることになる。
【００３０】
「第２実施形態」
図２は本発明の第２実施形態の光ファイバケーブルのケーブル長手方向に垂直な横断面図である。
【００３１】
この光ファイバケーブル１０Ｂでは、２つのスロット溝１２ａ、１２ｂに、それぞれ３本ずつの光ファイバ心線１３ａ、１３ｂ、１３ｃ及び１３ｄ、１３ｅ、１３ｆが収納されている。一方のスロット溝１２ａには、青、黄、緑の３本の光ファイバ心線１３ａ、１３ｂ、１３ｃが収納され、他方のスロット溝１２ｂには、赤、紫、白の３本の光ファイバ心線１３ｄ、１３ｅ、１３ｆが収納されている。それ以外の構成は、図１に示した第１実施形態の光ファイバケーブル１０Ａと同じであるので、同一構成部品には同一符号を付してその説明は省略する。
【００３２】
この光ファイバケーブル１０Ｂによれば、２つのスロット溝１２ａ、１２ｂにそれぞれ色の組み合わせの異なる光ファイバ心線１３ａ〜１３ｆを収納しているので、スロット溝１２ａ、１２ｂごとに光ファイバ心線１３ａ〜１３ｆの種類の識別（色の区別）が可能であり、識別しやすくなり、必要な光ファイバ心線１３ａ〜１３ｆだけを無理なく取り出すことができるようになる。従って、取り出す必要のない光ファイバ心線１３ａ〜１３ｆに余計な影響を与えずにすむ。その他の作用効果は、第１実施形態と同様である。
【００３３】
「第３実施形態」
図３は本発明の第３実施形態の光ファイバケーブルのケーブル長手方向に垂直な横断面図である。
【００３４】
この光ファイバケーブル１０Ｃでは、２つのスロット溝１２ａ、１２ｂに、それぞれ構造（種類）のタイプの異なる光ファイバが収納されている。一方のスロット溝１２ａには、複数の光ファイバテープ心線１３ｇ（光ファイバ通信線）が収納され、他方のスロット溝１２ｂには、ドロップ型の光ファイバケーブル１３ｈ（光ファイバ通信線）が収納されている。それ以外の構成は、図１に示した第１実施形態の光ファイバケーブル１０Ａと同じであるので、同一構成部品には同一符号を付してその説明は省略する。
【００３５】
この光ファイバケーブル１０Ｃによれば、２つのスロット溝１２ａ、１２ｂにそれぞれタイプの異なる光ファイバ通信線（光ファイバテープ心線１３ｇとドロップ型の光ファイバケーブル１３ｈ）を収納しているので、スロット溝１２ａ、１２ｂごとに光ファイバ通信線の種類の識別が可能であり、識別しやすくなり、必要な光ファイバ通信線（光ファイバテープ心線１３ｇまたはドロップ型の光ファイバケーブル１３ｈ）だけを無理なく取り出すことができるようになる。従って、取り出す必要のない光ファイバ通信線に余計な影響を与えずにすむ。
【００３６】
また、異なる構造の光ファイバ通信線を各スロット溝１２ａ、１２ｂに分けて収納しているので、容易に複合ケーブル化することができる。その他の作用効果は、第１実施形態と同様である。
【００３７】
「第４実施形態」
図４は本発明の第４実施形態の光ファイバケーブルのケーブル長手方向に垂直な横断面図である。
【００３８】
この光ファイバケーブル１０Ｄは、第３実施形態の光ファイバケーブル１０Ｃの２本の抗張力体１５の代わりに、１本の帯板状の抗張力体２５を配設したものである。この場合、Ｙ軸がケーブル曲げ方向Ｍの中立線となるように、ケーブル中心Ｏに断面の長手方向をＹ軸上に一致させた姿勢で抗張力体２５が配設されている。
【００３９】
この光ファイバケーブル１０Ｄでは、帯板状の抗張力体２５を、その断面の長手方向をＹ軸に一致させた姿勢で、ケーブル中心Ｏに配置しているので、１本の抗張力体２５を用いながら、ケーブル曲げ方向ＭをＸ軸方向に限定することができる。その他の作用効果は、第３実施形態と同様である。
【００４０】
「第５実施形態」
図５は本発明の第５実施形態の光ファイバケーブルのケーブル長手方向に垂直な横断面図である。
【００４１】
この光ファイバケーブル１０Ｅは、第３実施形態の光ファイバケーブル１０Ｃの片方のスロット溝１２ｂに収納していたドロップ型の光ファイバケーブル１３ｈを、インドア型の光ファイバケーブル１３ｍに変更したものである。この光ファイバケーブル１０Ｅの作用効果は、第３実施形態と同様である。
【００４２】
「第１の比較例」
図６は第１の比較例として示す光ファイバケーブルのケーブル長手方向に垂直な横断面図である。
【００４３】
この光ファイバケーブル１０Ｐは、図９に示した従来例の光ファイバケーブル１１０の変形例に相当するもので、スロットコア１１には１つのスロット溝１２だけが設けられている。そして、この１つのスロット溝１２内に、複数種類の光ファイバ通信線として、光ファイバテープ心線１３ｇとインドア型の光ファイバケーブル１３ｍが収納されている。
【００４４】
この光ファイバケーブル１０Ｐでは、１つのスロット溝１２に光ファイバテープ心線１３ｇとインドア型の光ファイバケーブル１３ｍが収納されているので、光ファイバテープ心線１３ｇを取り出すときに、一緒にインドア型の光ファイバケーブル１３ｍも引き出してしまうおそれがある。また、光ファイバ通信線の種類毎に剛性や伸縮率が異なっているはずなのに、１つのスロット溝１２に一緒に収納するのは無理があり、実際にこのような形での複合化は難しいと言わざるを得ない。
【００４５】
「第２の比較例」
図７は第２の比較例として示す光ファイバケーブルのケーブル長手方向に垂直な横断面図である。
【００４６】
この光ファイバケーブル１０Ｑは、図５に示した第５実施形態の光ファイバケーブル１０Ｅに対する比較例である。
【００４７】
スロットコア１１には２つのスロット溝１２ａ、１２ｂが設けられているものの、スロット溝１２ａ、１２ｂの配置の方向が、２本の抗張力体１５が並んでいる方向、つまりケーブル曲げ中心線となるＹ軸上ではなく、Ｘ軸上になっている。そして、各スロット溝１２ａ、１２ｂに、光ファイバテープ心線１３ｇとインドア型の光ファイバケーブル１３ｍが収納されている。
【００４８】
この光ファイバケーブル１０Ｑでは、ケーブル曲げ方向Ｍが、２本の抗張力体１５の配置によりＸ軸方向に限定されるので、ケーブル曲げ時に、ケーブル曲げ中心に対して外側に位置する光ファイバ通信線ほど伸びやすく、ケーブル曲げ中心に対して内側に位置する光ファイバ通信線ほど圧縮しやすくなる。従って、内側に位置する光ファイバ通信線が圧縮歪みを多く受けやすくなり、伝送特性が確保されなくなるおそれがある。
【００４９】
「第３の比較例」
図８は第３の比較例として示す光ファイバケーブルのケーブル長手方向に垂直な横断面図である。
【００５０】
この光ファイバケーブル１０Ｒは、図５に示した第５実施形態の光ファイバケーブル１０Ｅに対する比較例である。
【００５１】
この光ファイバケーブル１０Ｒでは、２本の抗張力体１５を、図５の光ファイバケーブル１０Ｅのようにスロットコア１１の断面の中央に配置するのではなく、スロット溝１２ａ、１２ｂのケーブル半径方向外側のシース１４の内部に埋設している。
【００５２】
この光ファイバケーブル１０Ｒでは、２本の抗張力体１５がＹ軸上にあるものの、シース１４の内部に埋設されているので、シース１４の除去時やスロット溝１２内の光ファイバ通信線（光ファイバテープ心線１３ｇやインドア型の光ファイバケーブル１３ｍ）を取り出す時に、抗張力体１５が邪魔になり、光ファイバ通信線の取り出し作業が困難になる。
【００５３】
以上の比較例に対して、本発明の実施形態の光ファイバケーブルは、Ｙ軸がケーブル曲げ中立線となるように抗張力体１５、２５が配置されていること、Ｙ軸上の抗張力体より外側のケーブル中心Ｏに対して１８０度対向する位置に２つのスロット溝１２ａ、１２ｂが配置されていること、各スロット溝１２ａ、１２ｂに種類の異なる光ファイバ通信線が収納されていること、を必要な条件として、比較例における問題を回避しながら、次の効果を奏することができる。
【００５４】
（１）中間後分岐で取り出そうとする光ファイバ通信線の識別性を向上させる。
【００５５】
（２）複合ケーブル化を容易に図ることができる。
【００５６】
（３）ケーブルの曲げ方向を限定することができ、ケーブル曲げ時の伝送特性の確保を可能にする。
【００５７】
（４）光ファイバ通信線の取り出しを容易にする。
【００５８】
「第６実施形態」
図９は本発明の第６実施形態の光ファイバケーブルのケーブル長手方向に垂直な横断面図である。
【００５９】
この光ファイバケーブル１０Ｆは、第１〜第５実施形態とは異なり、スロットコア１１及びシース１４を共に矩形状とした光ファイバケーブルである。これら第１〜第５実施形態の断面円形状をなす光ファイバケーブルと同一構成部品には、同一の符号を付してその説明は省略する。
【００６０】
第６実施形態の光ファイバケーブル１０Ｆにおいては、２本の抗張力体１５は、矩形状をなすスロットコア１１のＹ軸上の位置で且つケーブル中心Ｏに近い位置に、互いに離間して平行に並べて配設されている。そして、２つのスロット溝１２ａ、１２ｂは、共にＹ軸上の位置で且つケーブル中心Ｏを挟んで１８０度対向する位置に配設されおり、各スロット溝１２ａ、１２ｂの開口部１６の幅方向の中央がＹ軸上に位置している。これら２つのスロット溝１２ａ、１２ｂは、２本の抗張力体１５よりもケーブル中心Ｏから遠い位置に配設されている。しかも、２つのスロット溝１２ａ、１２ｂは、ケーブル長手方向に沿って直線状に延びるストレート溝として形成されている。
【００６１】
スロットコア１１とシース１４との間には、シース１４を構成する溶融樹脂がスロット溝１２ａ、１２ｂ内に入らないようにするための押さえテープ１７が当該スロットコア１１全体を覆うように設けられている。シース１４には、中間分岐する際に一部領域のシース１４を引き裂き易くするためのＶ溝に形成されたノッチ１８が設けられている。ノッチ１８は、Ｘ軸上に左右１箇所設けられており、ケーブル長手方向に連続して形成されている。
【００６２】
この光ファイバケーブル１０Ｆでは、２つのスロット溝１２ａ、１２ｂに、それぞれ４本ずつの光ファイバ心線１３ａ、１３ｂ、１３ｃ、１３ｄ及び１３ｅ、１３ｆ、１３ｇ、１３ｈが収納されている。一方のスロット溝１２ａには、青、黄、緑、赤の４本の光ファイバ心線１３ａ、１３ｂ、１３ｃ、１３ｄが収納され、他方のスロット溝１２ｂには、茶、紫、白、灰の４本の光ファイバ心線１３ｅ、１３ｆ、１３ｇ、１３ｈが収納されている。
【００６３】
この光ファイバケーブル１０Ｆによれば、２つのスロット溝１２ａ、１２ｂにそれぞれ色の組み合わせの異なる光ファイバ心線１３ａ〜１３ｈを収納しているので、スロット溝１２ａ、１２ｂごとに光ファイバ心線１３ａ〜１３ｈの種類の識別（色の区別）が可能であり、識別しやすくなり、必要な光ファイバ心線１３ａ〜１３ｈだけを無理なく取り出すことができるようになる。従って、取り出す必要のない光ファイバ心線１３ａ〜１３ｈに余計な影響を与えずにすむ。
【００６４】
なお、第６実施形態の光ファイバケーブルにおいて、第３実施形態〜第５実施形態におけるように、２つのスロット溝１２ａ、１２ｂに、それぞれ構造（種類）のタイプの異なる光ファイバが収納されていてもよい。
【産業上の利用可能性】
【００６５】
本発明は、シースを切り裂いてスロットコアに収納してある光ファイバを取り出すのに適した光ファイバケーブルに利用することができる。
【符号の説明】
【００６６】
１０Ａ〜１０Ｆ…光ファイバケーブル
１１…スロットコア
１２ａ，１２ｂ…スロット溝
１３ａ〜１３ｈ…光ファイバ心線（光ファイバ通信線）
１３ｇ…光ファイバテープ心線（光ファイバ通信線）
１３ｈ…ドロップ型の光ファイバケーブル（光ファイバ通信線）
１３ｍ…インドア型の光ファイバケーブル（光ファイバ通信線）
１４…シース
１５…抗張力体
１６…開口部
２５…帯板状の抗張力体
【図１】
2011248349.tif 000003
【図２】
2011248349.tif 000004
【図３】
2011248349.tif 000005
【図４】
2011248349.tif 000006
【図５】
2011248349.tif 000007
【図６】
2011248349.tif 000008
【図７】
2011248349.tif 000009
【図８】
2011248349.tif 000010
【図９】
2011248349.tif 000011
【図１０】
2011248349.tif 000012